(57)【要約】【課題】  本発明は、歯科用インプラント形成窩の作成を案内するためのガイドスリーブを有するインプラント埋入用ガイドにおいてインプラント形成窩の作成に用いるドリルをガイドスリーブに案内するためのドリルガイド用レンチを提供する。【解決手段】本発明のドリルガイド用レンチは、長手方向に延びる把持部材と、遠位端部に前記把持部材に対して常に下向きのドリルガイドスリーブを設け、近遠位方向に沿って下向きにオフセットしたアーム部材と、前記把持部材と前記アーム部材とをそれぞれの遠位側と近位側とにおいて取り外し可能に連結する連結部材と、を備えている。【選択図】    図１
2011036631.tif 000002
【特許請求の範囲】
【請求項１】
歯科用インプラント形成窩の作成を案内するためのガイドスリーブを有するインプラント埋入用ガイドにおいてインプラント形成窩の作成に用いるドリルをガイドスリーブに案内するためのドリルガイド用レンチであって、
長手方向に延びる把持部材と、
前記把持部材の長手方向に対して垂直な方向に配設され且つオフセットされたガイドスリーブを遠位端部に設けたアーム部材と、
前記把持部材と前記アーム部材とをそれぞれの遠位側と近位側とにおいて取り外し可能に連結する連結手段と、を備えたドリルガイド用レンチ。
【請求項２】
前記把持部材と前記アーム部材とは、それぞれの遠位側と近位側とで上下方向に積層させて前記連結部材により連結し、それぞれ板状部材で形成される、請求項１に記載のドリルガイド用レンチ。
【請求項３】
前記連結部材は上下方向に延びる軸部材を有し、前記把持部材と前記アーム部材とは該軸部材を介して前記連結部材を積層させる平面に沿った移動を規制し、少なくとも軸周りに互いに回転可能である、ことを特徴とする請求項２に記載のドリルガイド用レンチ。
【請求項４】
前記軸部材の積層平面における断面形状は、幅広部分と幅狭部分とを有し、前記把持部材またはアーム部材の他方の前記貫通孔は、幅広部分に対応する径で形成され、さらに前記把持部材またはアーム部材の他方には前記幅狭部に対応する幅であって該貫通孔と連結し外部にまで到達する開口部を設けている、請求項１〜３に記載のドリルガイド用レンチ。
【請求項５】
前記連結手段は、前記把持部材または前記アーム部材の一方から他方に向かって突出する軸部材を有し、前記把持部材または前記アーム部材とが該軸部材を介して前記連結部材を積層させる平面に沿った移動を規制し、少なくとも軸周りに互いに回転可能であるように前記把持部材または前記アーム部材の他方に軸部材に対応する溝を形成する、ことを特徴とする請求項１に記載のドリルガイド用レンチ。
【請求項６】
前記軸部材の幅は、軸線方向に沿って幅広部分と幅狭部分とを有し、前記把持部材またはアーム部材の貫通孔は幅広部分に対応する径で形成され、さらに貫通孔から前記幅狭部に対応する幅の溝が延びている、請求項２〜３に記載のドリルガイド用レンチ。
【請求項７】
前記軸部材は、前記把持部材またはアーム部材の一方から突出した雄ねじ構造を形成し、前記把持部材またはアーム部材の他方は連結時に該軸部材を除く位置に貫通孔を有し、
さらに連結部材は、該軸部材に上下方向に締結する雌ねじ部材を有する、ことを特徴とする請求項２〜３に１項に記載のドリルガイド用レンチ。
【発明の詳細な説明】
【技術分野】
【０００１】
本発明は、歯科用インプラントを埋入する際に用いるインプラント埋入ガイドにおいてインプラント形成窩の作成に使用するドリルをガイドスリーブに案内するためのドリルガイド用レンチに関する。
【背景技術】
【０００２】
近年、歯科用インプラント治療においてインプラントを顎骨に埋入する適正な位置を検出し、これに基づいて作成されたインプラント埋入ガイドが提供されている。このインプラント埋入ガイドは、個々の患者の歯列上に勘合させ、所望するインプラントの埋入位置の上方にガイドスリーブを設け、このガイドスリーブにドリルを案内させることにより適正なインプラント形成窩を作成する。
【０００３】
このようなインプラント埋入ガイドのガイドスリーブ内にドリルを案内させる工程では、まずドリルの先端をガイドスリーブ内に挿入することとなるが、ドリルをガイドスリーブに案内する補助具としてのドリルガイド用レンチが使用されることがある。
【０００４】
上記ドリル用ガイドレンチは、一般にインプラント埋入ガイドのガイドスリーブに挿入するスリーブ部を先端に設けたアーム部と歯科医師の持ち手となる把持部とで構成され、従来より何種類かのものが提供されていた。
【０００５】
具体的には、アーム部と把持部材とをボールジョイントで結合させ、アーム部を自在に移動可能とし、さらにアーム部と把持部とを取り外し可能とするドリルガイド用レンチが存在する。このレンチの場合、ボールジョイントによりスリーブ部を自在に移動・固定させることができると同時に異なるスリーブ部を有するアーム部に取り換えることが容易である。
【０００６】
しかしながら、上記ドリルガイド用レンチの場合、アーム部材と把持部材とをボールジョイントにより結合することもあり、製造コストがかかっており、その結果、高価なものとなっていた。
【０００７】
また、この問題を回避するために製造された他のドリルガイド用レンチにおいても、レンチ全体が一体成型されインプラント形成窩のためのドリル作業に不都合があったり、アーム部材の移動が可能であっても所定段階の移動に規制され自由な移動ができない等の問題があった。
【先行技術文献】
【特許文献】
【０００８】
【特許文献１】特開平０９−１０３４３７号公報
【発明の概要】
【発明が解決しようとする課題】
【０００９】
本発明は、以上の問題に鑑みて創作されたものであり、製造コストがかからず、アーム部材を自由（無段階）に移動させることができ、さらに、アーム部材と把持部材とを容易に取り外し及び固定することができる、インプラント埋入用ガイドのスリーブ部に案内するためのドリルガイド用レンチを提供する。
【課題を解決するための手段】
【００１０】
本発明は、歯科用インプラント形成窩の作成を案内するためのガイドスリーブを有するインプラント埋入用ガイドにおいてインプラント形成窩の作成に用いるドリルをガイドスリーブに案内するためのドリルガイド用レンチを提供する。なお、ガイドスリーブには、中空の管形状のみならず、樋状の半管形状のものも含まれる。
【００１１】
このドリルガイド用レンチは、長手方向に延びる把持部材と、
前記把持部材の長手方向に対して垂直な方向に配設され且つオフセットされたガイドスリーブを遠位端部に設けたアーム部材と、
前記把持部材と前記アーム部材とをそれぞれの遠位側と近位側とにおいて取り外し可能に連結する連結手段と、を備えている。
【００１２】
また前記把持部材と前記アーム部材とは、板状部材で形成され、それぞれの遠位側と近位側とで上下方向に積層させて前記連結部材により連結することが好ましい。
【００１３】
また、連結部材は上下方向に延びる軸部材を有し、前記把持部材と前記アーム部材とは該軸部材を介して前記連結部材を積層させる平面に沿った移動を規制し、少なくとも軸周りに互いに回転可能であることが好ましい。
【００１４】
一方、連結手段は、前記把持部材または前記アーム部材の一方から他方に向かって突出する軸部材を有し、前記把持部材または前記アーム部材とが該軸部材を介して前記連結部材を積層させる平面に沿った移動を規制し、少なくとも軸周りに互いに回転可能であるように前記把持部材または前記アーム部材の他方に軸部材に対応する溝を形成しても良い。
【００１５】
また、前記軸部材は、前記把持部材またはアーム部材の一方から突出した雄ねじ構造を形成し、前記把持部材またはアーム部材の他方は連結時に該軸部材を除く位置に貫通孔を有することができる。
【００１６】
さらに連結部材は、該軸部材に上下方向に締結する雌ねじ部材を有することができる。
【００１７】
前記軸部材の積層平面における断面形状は、幅広部分と幅狭部分とを有し、前記把持部材またはアーム部材の他方の前記貫通孔は、幅広部分に対応する径で形成され、さらに前記把持部材またはアーム部材の他方には前記幅狭部に対応する幅であって該貫通孔と連結し外部にまで到達する開口部を設けていることが好ましい。
【００１８】
また、前記軸部材の幅は、軸線方向に沿って幅広部分と幅狭部分とを有し、前記把持部材またはアーム部材の貫通孔は幅広部分に対応する径で形成され、さらに貫通孔から前記幅狭部に対応する幅の溝が延びていても良い。
【発明の効果】
【００１９】
本発明のドリルガイド用レンチによれば、製造コストがかからず、アーム部材を自由（無段階）に移動させることができ、さらに、アーム部材と把持部材とを容易に取り外し及び固定することができる。
【図面の簡単な説明】
【００２０】
【図１】本発明のドリルガイド用レンチの実施形態の側面図である。
【図２】図１のドリルガイド用レンチの上面図である。
【図３】図１の本発明のドリルガイド用レンチの把持部材の上面図である。
【図４】図１の本発明のドリルガイド用レンチのアーム部材の上面図である。
【図５】図１の本発明のドリルガイド用レンチのアーム部材の側面図である。
【図６】図１の本発明のドリルガイド用レンチの把持部材の側面図である。
【図７】図１の本発明のドリルガイド用レンチの把持部材の上面図である。
【図８】図１の本発明のドリルガイド用レンチのアーム部材が回転した状態を示す下面図である。
【図９】図１の本発明のドリルガイド用レンチの把持部材とアーム部材との回転状態を示す連結部近傍の略拡大図である。
【図１０】本発明のドリルガイド用レンチの他の実施形態の連結の様子を示した略部分図である。
【図１１】図１０のドリルガイド用レンチの把持部材を示した略部分図である。
【図１２】図１０のドリルガイド用レンチの連結の様子を示した略部分側面図である。
【発明を実施するための形態】
【００２１】
まず、本発明のドリルガイド用レンチの１つの実施形態について説明する。図１、図２を参照すれば本実施形態のドリルガイド用レンチ１０の側面図と上面図とを示している。この図からも理解されるように、ドリルガイド用レンチ１０は、概ね把持部材１２と、アーム部材１４と、両者を連結する連結部材２０とで構成されている。
【００２２】
まず、把持部材１０は歯科医師の持ち手となる部材である。把持部材１０は板状部材で形成され、図１、図２に示す左側部分に把持しやすい形状をなした部分１２ａを有している。本実施形態では、図２に示すように楕円を２つ組み合わせたような形状をなしている。
【００２３】
また、図３は図２の示すドリルガイド用レンチ１０の上面図のうち把持部材１２のみを示した部分上面図である。この図に示されるように部分１２ａの反対側、すなわち歯科医師に対して遠位側の端部に上下方向に板状部材を貫通する孔１２ａが設けられている。この貫通孔１２ａは把持部材１２の長手方向（紙面左右方向）に幅が狭く、横方向（紙面上下方向）に幅が狭くなっている（ａ＜ｂ）。
【００２４】
具体的な貫通孔１２ｂの形状は、図３に示すように直径ｂの円形孔の長手方向前後（紙面左右方向両端）の弧をカットした形状をなしている。
【００２５】
次に、図１、図４、図５を参照しつつアーム部材１４について説明する。図４は、アーム部材１４のみを示した上面図であり、図５は、図４のアーム部材１４の側面図である。まず、図１に示すようにアーム部材１４は、その近位側（紙面左側）で把持部材１２の遠位側（紙面右側）と連結している。なお、この連結方法については後述する。
【００２６】
また、アーム部材１４は、長手方向遠位側に向かって下方にオフセットしている。これは顎骨に配設されたインプラント埋入用ガイド（図示せず）のガイドスリーブにスリーブ部１６（後述）を案内し易いように把持部材１２に対して下向きしたものである。
【００２７】
さらに、アーム部材１４の遠位側先端には下向きにスリーブ部１６が配設されている。図４を参照すれば、スリーブ部１６は、上下方向に貫通する中空の筒状部材であり、アーム部材１４の先端部から下方に突出していることが判る。
【００２８】
スリーブ部１６は、インプラント形成窩を作成する段階でインプラント埋入用ガイドのガイドスリーブに内挿してスリーブ部１６の貫通孔１６ａにドリルを案内することでドリル形成窩を作成するものである。したがって、図４、図５に示すようにスリーブ部は外径をφｃ、内径をφｄとした場合、インプラント埋入用ガイドのガイドスリーブの内径は
φ（ｃ＋α）：αは内挿のときの遊び程度
であり、ドリルの外径は、
φ（ｄ−β）：βはドリルを内挿したときに通常設けられる隙間
である。
【００２９】
なお、インプラント形成窩を作成するためには、通常、細い径のドリルで最初に孔を開け、それからインプラント形成窩に応じた径のドリルを用いることが一般的である。したがって、アーム部材１４のスリーブ部１６の外径はインプラント埋入用ガイドに応じたものを用意し、さらにスリーブ部１６の内径はインプラント形成窩を作成するためのドリルの外径に対応するように複数のアーム部材１４を用意することとなる。本実施形態のドリルガイド用レンチ１０では、各ドリルごとに対応した内径のスリーブを有する複数のアーム部材１４を準備し、アーム部材１４をドリルに応じて付け替えるだけで簡単に複数種類のドリルに応じたドイルガイド用レンチを提供することができる。
【００３０】
また、アーム部材１４は図４に示すように近位側（紙面左側）端部近傍において把持部材１２との連結のためのスリット１８が設けられている。このスリット１８は、円形孔１８ａと平行開口１８ｂとで構成されており、円形孔１８ａの径はアーム部材１２の貫通孔１２ｂの幅広側の長さａと略同じであり、平行開口１８ｂの幅はアーム部材１２の貫通孔１２ｂの幅狭側の長さａと略同じである。
【００３１】
次に把持部材１２とアーム部材１４との連結について説明する。図６を参照すれば連結部材２０を設けた把持部材１２の上面図を、図７を参照すれば図７の把持部材１２の側面図を示している。連結部材２０は、上述したような幅広の部分と幅狭の部分との組合わせで構成される雄ネジ形状部２０ａと、これとネジ結合する雌ネジ形状部２０ｂとで構成されている。
【００３２】
また、図１、図６からも明らかなように雄ネジ形状部２０ａは、把持部材１２の下方から上方に向かってネジ先が延びるように貫通しており、下方から順にアーム部材１４と把持部材１２とを挟んだ状態で雌ネジ形状部１２ｂにより固定している。
【００３３】
図８を参照すれば、把持部材１２に対してアーム部材１４を４５°回転させた状態を示したドリルガイド用レンチ１０の底面図を示している。なお、視認し易さを考慮して雄ネジ形状部２０ａのヘッド部は省略して示している。雌ネジ形状部２０ｂを緩めると雄ネジ形状部２０ａを雌ネジ形状部２０ｂの間隔が広がり、把持部材１２に対してアーム部材１４を所望の位置まで回転させることができる。
【００３４】
このときの回転中心は、把持部材１２の貫通孔１２ｂ（図３参照）とアーム部材１４の円形孔１８ａ（図４参照）とを通過する雄ネジ形状部２０ａの軸部分である。また、雄ネジ形状部２０ａの軸部分の断面形状は、把持部材１２の貫通孔１２ｂと嵌合するように同一形状を有し、幅広部分すなわち円孤形状の部分に設けられたネジ溝により雌ネジ形状部２０ｂとネジ結合することとなる。
【００３５】
次にアーム部材１４の把持部材１２からの取り外しについて言及する。上述したようにアーム部材１４の開口１８は、円形孔１８ａと平行開口１８ｂとで形成されており（図４参照）、把持部材１２とアーム部材１４とが連結された状態では開口１８、とりわけ円形孔１８ａに雄ネジ形状部２０ａの軸部分が挿入されている。
【００３６】
図９を参照すれば、アーム部材１４の開口１８と連結部材２０の雄ネジ形状部２０ａとの連結状態（挿入状態）を拡大して表している。なお、図９では、理解し易いように把持部材１２は省略して表示している。
【００３７】
図９（ａ）を参照すれば、図１および図２のようにアーム部材１４と把持部材１２とが一直線上になるように連結された際の雄ネジ形状部２０ａと開口１８との位置関係を示している。この状態では、雄ネジ形状部２０ａの幅広側は円形孔１８ａの径と略同一であるため紙面平面上では移動が規制されている。
【００３８】
次に図９（ｂ）に示すとおり、アーム部材１４を時計回りに回転させる（図９では、雄ネジ形状部２０ａを反時計回りに回転させて表現している）。この図の場合、回転させた角度は、９０°未満であり、アーム部材１４は図９（ａ）と同様に紙面平面上、とりわけ紙面左方向の移動が規制されている。
【００３９】
図９（ｃ）ではアーム部材１４をさらに時計回りに回転させている。具体的には９０°回転させた状態を示している。この状態で雄ネジ形状部２０ａの幅狭側は平行開口１８ｂと直列の位置関係になる。したがって、図９（ａ）と図９（ｂ）において規制されていた紙面左右方向の移動（紙面矢印方向）が解放され、雄ネジ形状部２０ａに対してアーム部材１４を右側に移動させると、両者を取り外すことが可能になる。
【００４０】
このことから、アーム部材１４を所定角度の回転範囲では、アーム部材１４と把持部材１２との連結が維持されるとともに、アーム部材１４を所定角度回転させると簡単に取り外すことが可能となる。
【００４１】
したがって、異なる内径ごとにアーム部材１４のスリーブ部１６を準備する際に、内径の異なるスリーブ部１６と一体となるアーム部材１４を用意することで、各アーム部材１４の着脱を容易にし、かつドリル径に応じた対応が容易となる。
【００４２】
また、上述の実施形態の場合、雄ネジ形状部２０ａの形状を幅広部と幅狭部とにすることで、アーム部材１４の開口１８と連結・解除していたが、雄ネジ形状部２０ａの断面を円形にし、軸線方向に円形開口１８ａの径と略同一の径とする円形断面の第一部分と、これと軸線方向に一体連結する平行開口の幅と略同一の径とする円形断面の第二部分として構成しても良い。
【００４３】
この場合、軸線方向に上下移動させることで、アーム部材１４と把持部材１２との連結のときには第一部分が円形開口１８ａに挿入され、取り外し時には第二部分が平行開口１８ｂを経てアーム部材を取り外しすることができる。
【００４４】
また、他のドリルガイド用レンチ１００の一例についても説明する。このドリルガイド用レンチ１００は、連結部材に特徴があり、他は上記ドリルガイド用レンチ１０と同様であるため、ここでは連結部材近傍を説明する。
【００４５】
図１０は、（ａ）において連結部材近傍のアーム部材１１４を示しており、（ｂ）はアーム部材１１４と把持部材１１２とが連結された状態を上方から見た図である。また、図１１は把持部材１１２の貫通孔１１２、１１２ｂが示されている。
【００４６】
また、図１０（ａ）からも判るようにアーム部材１１４の端部は上方に延びる突出部１２０が設けられ、上から順に大きい径で雄ねじ構造の幅広部１２０ａと小さい径の幅狭部１２０ｂとで形成されている。この突出部１２０を下側から貫通孔１１２ａ（図１１参照）に挿入すると貫通孔１１２ａに幅広部１２０ａおよび幅狭部１２０ｂが挿入され、アーム部材１１４の上面と把持部材１１２の下面とが接触する。さらに、該接触状態で幅狭部１２０ｂを左スライド（図１１紙面の矢印方向）させると、幅広部１２０ａの径は貫通孔１１２ｂより大きいため、アーム部材１１４が把持部材１１２から抜け落ちなくなる。
【００４７】
その後、アーム部材１１２と把持部材１１４とが重ねられた状態で図１２に示すように上方から幅広部１２０ａに雌ネジ部材１１２を嵌合させることで、長手方向に対してもしっかりと連結固定されることとなる。
【符号の説明】
【００４８】
１０  ドリルガイド用レンチ
１２  把持部材
１２ａ  貫通孔
１４  アーム部材
１６  スリーブ部
１８  開口
２０  連結部材
【図１】
2011036631.tif 000003
【図２】
2011036631.tif 000004
【図３】
2011036631.tif 000005
【図４】
2011036631.tif 000006
【図５】
2011036631.tif 000007
【図６】
2011036631.tif 000008
【図７】
2011036631.tif 000009
【図８】
2011036631.tif 000010
【図９】
2011036631.tif 000011
【図１０】
2011036631.tif 000012
【図１１】
2011036631.tif 000013
【図１２】
2011036631.tif 000014